(57)【要約】      （修正有）【課題】低価格で、人に優しく、確実に針抜けを発見して、針が抜けたことを、必要な情報とともに迅速に、通報することを可能とする翼状針抜け通報装置を提供する。【解決手段】翼状針部１１０と、ＲＦＩＤタグ１０２が粘着テープ１０１に貼られた検知部１００と、一部に開口部１０７を有するフィルム部１０８と、受信部を備えた針抜け通報装置において、フィルム部１０８は、検知部１００と部分的に接合し、検知部１００のＩＣチップには医療行為の対象となる生体に固有な情報を格納し、翼状針部１１０の注射針１１１を生体に挿入して医療行為をするときに、生体の異常行動によって、注射針１１１が生体から抜けると、翼状針部１１０がフィルム部１０８に力を加えて、検知部１００が生体から離れ、検知部１００が生体部から離れることにより、検知部１００はＩＣチップに格納された情報を発信し、受信部が、検知部１００が発信した情報を受信できるように構成する。【選択図】図１
0003143190.tif 000002
【実用新案登録請求の範囲】
【請求項１】
翼状針部と、
RFIDタグが粘着テープに貼られた検知部と、
開口部を有するフィルム部と、
受信部と、を備えた針抜け通報装置であって、
前記フィルム部は、前記検知部と部分的に接合され、
前記検知部のRFIDタグのＩＣチップには医療行為の対象となる生体に固有な情報（以下「生体固有情報」ともいう）が格納され、
前記翼状針部の注射針を前記生体に挿入して医療行為をするときには、前記検知部を前記粘着テープを介して前記検知部を前記生体に接着させることにより、前記生体の異常行動によって、前記注射針が前記生体から抜けると、前記翼状針部が前記フィルム部に力が加わり、前記検知部が前記生体から離れることにより、前記検知部は前記ＩＣチップに格納された前記生体固有情報を発信し、前記受信部は、前記検知部が発信した情報を受信することを特徴とする翼状針抜け通報装置。
【請求項２】
請求項１に記載の翼状針抜け通報装置において、
前記フィルム部は、前記検知部と接合されている側と反対の側に粘着部（以下「第１接着部」ともいう）を有し、
前記翼状針部の注射針を前記生体に挿入して医療行為をするときには、前記翼状針部の前記注射針のみを前記フィルム部の前記開口部を通した後に前記生体に挿入し、前記フィルム部で前記翼状針部の翼を包むように折り返すことにより、前記生体の異常行動によって、前記注射針が前記生体から抜けると、前記翼状針部が前記フィルム部に力を加えて前記検知部が前記生体から離れることにより、前記検知部は前記ＩＣチップに格納された前記生体固有情報を発信し、前記受信部は、前記検知部が発信した情報を受信することを特徴とする翼状針抜け通報装置。
【請求項３】
請求項１に記載の翼状針抜け通報装置において、
前記翼状針部の注射針を前記生体に挿入して医療行為をするときには、前記翼状針部の注射針に加えて翼部も前記フィルム部の前記開口部を通した後に前記注射針を前記生体に挿入することにより、前記生体の異常行動によって、前記注射針が前記生体から抜けると、前記翼状針部が前記フィルム部に力を加えて前記検知部が前記生体から離れることにより、前記検知部は前記ＩＣチップに格納された前記生体固有情報を発信し、前記受信部は、前記検知部が発信した情報を受信することを特徴とする翼状針抜け通報装置。
【請求項４】
翼状針部と、
RFIDタグが粘着テープに貼られた検知部と、
前記検知部の前記RFIDタグの上に、前記翼状針部の前記翼を一方の翼に重ねると、前記翼状針部を通過させられる程度のスペースからなるトンネルを形成するように接合されたカバー部と、
受信部と、を備えた針抜け通報装置であって、
前記検知部のRFIDタグのＩＣチップには医療行為の対象となる生体に固有な情報が格納され、
前記翼状針部の注射針を前記生体に挿入して医療行為をするときには、前記翼状針部の前記翼を一方の翼に重ねながら、前記翼状針部を前記カバー部の前記トンネルに通してから、前記注射針を前記生体に挿入するとともに、前記粘着テープを介して前記検知部を前記生体に接着させることにより、前記生体の異常行動によって、前記注射針が前記生体から抜けると、前記翼状針部が前記カバー部に力が加わり、前記検知部が前記生体から離れて、前記検知部が前記ＩＣチップに格納された前記生体固有情報を発信し、前記受信部は、前記検知部が発信した情報を受信することを特徴とする翼状針抜け通報装置。
【請求項５】
請求項１乃至４のいずれか１項に記載の針抜け通報装置において、
前記生体固有情報は前記生体の名前、血液型、および治療履歴からなる群から選ばれる少なくとも１情報であることを特徴とする翼状針抜け通報装置。
【請求項６】
請求項１乃至５のいずれか１項に記載の針抜け通報装置において、
前記生体は人体であることを特徴とする翼状針抜け通報装置。
【請求項７】
請求項１乃至５のいずれか１項に記載の針抜け通報装置において、
前記生体は動物であることを特徴とする翼状針抜け通報装置。
【請求項８】
請求項１乃至６のいずれか１項に記載の針抜け通報装置において、
前記医療行為は透析行為であることを特徴とする翼状針抜け通報装置。
【考案の詳細な説明】
【技術分野】
【０００１】
本考案は、翼状針を用いて生体に医療行為をしているときに生体の異常行動により、注射針が抜けた場合の通報装置に関する。
【背景技術】
【０００２】
透析や輸血は通常、人体に翼状針を挿入して行われる。この場合、人の異常な行動によって、注射針が抜けてしまう場合がある。迅速に、注射針が抜けたことが発見され、処置がされれば、重大な事態を避けられるが、迅速に発見されない場合には、重大な事態につながる場合も多い。
【０００３】
他方、透析を受ける患者には、注意力が低下した老人等も多く、健康人に比べて、注意力が低下しており、異常な行動を取りやすい。
【０００４】
このような事情に対応するために、透析や輸血時の針抜けを通報する装置として、防犯用の磁石とリードリレーを応用した注射針抜け通報装置も考えられる。
【０００５】
しかしながら、磁石とリードリレーを応用した注射針抜け通報装置は比較的、構成が複雑となる。
【０００６】
一方、近時に開発された無線ＩＣタグであるＲＦＩＤ（Ｒａｄｉｏ  Ｆｒｅｑｕｅｎｃｙ  Ｉｄｅｎｔｉｆｉｃａｔｉｏｎ）は安価であり、相当量の情報を送信できる。
また、ＲＦＩＤにはタグリーダからの電波をエネルギー源として信号を発信するパッシブＲＦＩＤタグと、電池を内蔵したアクティブＲＦＩＤタグとがあるが、パッシブＲＦＩＤタグを生体に密着させるとタグリーダ（受信機）はパッシブＲＦＩＤタグと交信できなくなり、生体に密着したパッシブＲＦＩＤタグを生体から離すとタグリーダはパッシブＲＦＩＤタグと交信可能となる。
【０００７】
そこで、発明者は、このＲＦＩＤを利用すれば、低価格で、人に優しい翼状針抜け通報装置を実現できることに着目した。
【非特許文献１】日経ＲＦＩＤ  テクノロジー  ７月号  ２００６年６月２０日発行日経ＢＰ社
【考案の開示】
【考案が解決しようとする課題】
【０００８】
本考案は、低価格で、人に優しく、確実に針抜けを発見して、針が抜けたことを、必要な情報とともに迅速に、通報することを可能とする翼状針抜け通報装置を提供することを目的とする。
【課題を解決するための手段】
【０００９】
請求項１に記載された考案は、翼状針抜け通報装置であって、
翼状針部と、
RFIDタグが粘着テープに貼られた検知部と、
一部に開口部を有するフィルム部と、
受信部を備え、
前記フィルム部は、前記検知部と部分的に接合され、
前記検知部のＩＣチップには医療行為の対象となる生体に固有な情報（以下「生体固有情報」ともいう）が格納され、
前記検知部を前記粘着テープを介して前記検知部を前記生体に接着させることにより、
前記翼状針部の注射針を前記生体に挿入して医療行為をするときには、生体の異常行動によって、前記注射針が前記生体から抜けると、前記翼状針部が前記フィルム部に力を加えて前記検知部が前記生体から離れることにより、前記検知部は前記ＩＣチップに格納された前記生体固有情報を発信し、前記受信部は、前記検知部が発信した情報を受信することを特徴とする。
【００１０】
請求項２に記載された考案は請求項１に記載の翼状針抜け通報装置に係り、
前記フィルム部は、前記検知部と接合されている側と反対の側に粘着部（以下「第１接着部」ともいう）を有し、
前記翼状針部の注射針のみを前記フィルム部の前記開口部を通した後に、前記フィルム部で前記翼状針部の翼を包むように折り返すことにより、
前記第１接着部を前記検知部に接着させてから、前記生体に挿入して医療行為をするときに、生体の異常行動によって、前記注射針が前記生体から抜けると、前記翼状針部が前記フィルム部に力を加えて前記検知部が前記生体から離れることにより、前記検知部は前記ＩＣチップに格納された前記生体固有情報を発信し、前記受信部は、前記検知部が発信した情報を受信することを特徴とする。
【００１１】
請求項３に記載された考案は請求項１に記載の翼状針抜け通報装置に係り、
前記翼状針部の注射針に加えて翼部も前記フィルム部の前記開口部を通した後に、前記検知部の粘着部を生体に貼ることにより、前記翼状針部の注射針を前記生体に挿入して医療行為をするときに、生体の異常行動によって、前記注射針が前記生体から抜けると、前記翼状針部が前記フィルム部に力を加えて前記検知部が前記生体から離れることにより、前記検知部は前記ＩＣチップに格納された前記生体固有情報を発信し、前記受信部は、前記検知部が発信した情報を受信することを特徴とする。
【００１２】
請求項４に記載された考案は請求項１に記載の翼状針抜け通報装置であって、
翼状針部と、
RFIDタグが粘着テープに貼られた検知部と、
前記検知部の前記RFIDタグの上に、前記翼状針部の前記翼を一方の翼に重ねると、前記翼状針部を通過させられる程度のスペースからなるトンネルを形成するように接合されたカバー部と、
受信部と、を備え、
前記検知部のRFIDタグのＩＣチップには医療行為の対象となる生体に固有な情報が格納され、
前記翼状針部の注射針を前記生体に挿入して医療行為をするときには、前記翼状針部の前記翼を一方の翼に重ねながら、前記翼状針部を前記カバー部の前記トンネルに通してから、前記注射針を前記生体に挿入するとともに、前記粘着テープを介して前記検知部を前記生体に接着させることにより、前記生体の異常行動によって、前記注射針が前記生体から抜けると、前記翼状針部が前記カバー部に力が加わり、前記検知部が前記生体から離れて、前記検知部が前記ＩＣチップに格納された前記生体固有情報を発信し、前記受信部は、前記検知部が発信した情報を受信することを特徴とする。
【００１３】
請求項５に記載された考案は請求項１乃至４のいずれか１項に記載の針抜け通報装置に係り、
前記生体固有情報は前記生体の名前、血液型、および治療履歴からなる群から選ばれる少なくとも１情報であることを特徴とする。
【００１４】
請求項６に記載された考案は請求項１乃至５のいずれか１項に記載の針抜け通報装置に係り、
前記生体は人体であることを特徴とする。
【００１５】
請求項７に記載された考案は請求項１乃至５のいずれか１項に記載の針抜け通報装置に係り、
前記生体は動物であることを特徴とする。
【００１６】
請求項８に記載された考案は請求項１乃至６のいずれか１項に記載の針抜け通報装置に係り、
前記医療行為は透析行為であることを特徴とする。
【考案の効果】
【００１７】
本考案に係る翼状針抜け通報装置を用いることにより、注射針が挿入されている人体の不快感を増加させることなく、異常な行動による針抜けを発見して、針が抜けたことを、迅速に、通報し得る翼状針抜け通報装置を低コストで実現できる。
【考案を実施するための最良の形態】
【００１８】
以下、図を参照しつつ、本考案を実施するための最良の形態につき説明する。
（実施の形態１）
実施の形態１は、翼状針部の注射針のみをフィルム部の開口部を通した後に、フィルム部で翼状針部の翼を包むように折り返すことにより、第１接着部を前記検知部に接着させてから、前記生体に挿入して医療行為をするときに、生体の異常行動によって、注射針が前記生体から抜けると、翼状針部がフィルム部に力を加えて前記検知部が生体から離れて、検知部がＩＣチップに格納された生体固有情報を発信するように構成された翼状針抜け通報装置である。。
【００１９】
図１は実施の形態１に係る翼状針抜け通報装置の構成の概略を示す平面図である。
図１において、１０１は検知部の粘着テープである。１０２はＲＦＩＤであり、１０８はフィルム部である。１０７はフィルム部１０８に設けられた開口部であり、１０６はフィルム部１０８に設けられた第１接着部である。１１０は翼状針部であり、１１１は注射針であり、１１４は翼であり、１１２はチューブである。
【００２０】
ＲＦＩＤ１０２は無線ＩＣタグである。検知部１００は粘着テープ１０１にＲＦＩＤ１０２が接合されている。開口部１０７は注射針を通すための穴である。
【００２１】
なお、ＲＦＩＤ１０２の図示に関しては、詳細には、ＲＦＩＤはアンテナ部とＩＣチップ部が透明フィルム等に接合された状態で存在しており、図１はそれらの形状を正確に図示していない。図１に図示する場合においては、特徴のあるアンテナ部を図示し、ＩＣチップ部は省略し、透明フィルムはフィルム部１０８と重なるので、特に図示していない。図１以外の以下の図においても同様である。また、本考案においては、ＲＦＩＤ１０２に特に特徴はなく公知の無線ＩＣタグであるので、説明は省略する。
【００２２】
次に、実施の形態１に係る翼状針抜け通報装置を用いて人体に医療行為を行う様子の概略について説明する
図２は実施の形態１に係る翼状針抜け通報装置を用いて人体の腕に注射針を挿入している様子を上から見た説明図である。
【００２３】
図３は実施の形態１に係る翼状針抜け通報装置を用いて人体の腕に注射針を挿入している様子を示す横から見た説明図である。
図２と図３において、１０１は検知部の粘着テープであり、１０２はＲＦＩＤであり、１０８はフィルム部である。１０７はフィルム部１０８に設けられた開口部であり、１０６はフィルム部１０８に設けられた第１接着部であり、１１１は注射針であり、１１４は翼であり、１１２はチューブである。１２０は人体であり、例えば腕である。
翼状針部１１０の注射針１１１を開口部１０７を通して人体に挿入する（図２、図３参照）。
検知部１００の粘着テープ１０１を人体に接着する。このことによりＲＦＩＤのアンテナ部が人体に近接し、ＲＦＩＤから信号が発生しない状態となり、人体の異常行動により、ＲＦＩＤのアンテナ部が人体から離れた場合にＲＦＩＤから信号が発生する。
【００２４】
ＲＦＩＤにはタグリーダからの電波をエネルギー源として信号を発信するパッシブＲＦＩＤタグと、電池を内蔵したアクティブＲＦＩＤタグとがあるが、パッシブＲＦＩＤタグを生体に密着させるとタグリーダ（受信機）はパッシブＲＦＩＤタグと交信できなくなり、生体に密着したパッシブＲＦＩＤタグを生体から離すとタグリーダはパッシブＲＦＩＤタグと交信可能となることを利用している。
翼状針部１１０の翼１１４を包み込むようにフィルム部１０８を折り返し、フィルム部１０８の第１接着部を検知部１００に接着する（図２、図３参照）。フィルム部１０８の第１接着部が検知部１００より大きい場合には検知部１００からはみ出した部分を人体にも接着する。
【００２５】
このような状態で透析等を行えば、異常な行動により、注射針１１１が人体から抜けるほどにチューブ１１２に力がかかると、フィルム部１０８を通して検知部１００が引っ張られて検知部１００の粘着テープ１０１が人体から離れる。すると、ＲＦＩＤのアンテナ部と人体とが離れ、検知部１００のＩＣチップに格納されている固有情報が発信され、受信機がこの情報を受信し、どの人体の注射針が予定外に抜けたかが判明する。その結果、迅速な救済手段の実施が可能となる。
【００２６】
この翼状針抜け通報装置を用いることにより、多数の人体に同時に透析等を行っていても、異常な行動により注射針が抜ける問題が発生しても、即座に問題が生じた人体を特定できる。
【００２７】
なお、検知部１００とフィルム部１０８の形状は図１のようなものに限定されるものではなく、図４のような形状であってもよい。
【００２８】
図４はフィルム部１０８の形状が図１とは異なるものである。
【００２９】
ただし、使用の仕方は、図１の場合と同じであり、翼状針の針１１１のみを開口部１０７に通した後に、フィルム部で翼状針部の翼を包むように折り返す。
【００３０】
本実施の形態１に係る翼状針抜け通報装置を用いれば、人体の異常な行動により、注射針が抜けた事態を、迅速に把握でき、適切な対応をとる事ができる。また、同時に多数の生体に透析等を行っていても、どの生体において、注射針が異常な行動により抜けたかを把握できる。
【００３１】
なお、翼状針、ＲＦＩＤおよび受信機は公知のものであるので説明は省略する。またフィルム部についても、開口部と粘着部を有する点を除けば、フィルムの材料等に特徴はなく、公知のものでよいので説明は省略する。
（実施の形態２）
実施の形態２に係る翼状針抜け通報装置は、翼状針部の注射針に加えて翼部をもフィルム部の開口部に通して、注射針を挿入することにより、実施の形態１のようにフィルム部で翼状針部の翼を包むように折り返さないで使用するように構成したものである。詳細に説明する。
【００３２】
注射針を生体に挿入して医療行為をするときに、生体の異常行動によって、注射針が生体から抜けると、翼状針部全体がフィルム部の開口部１０７に引っかかって検知部１００に力が加わり、その結果、検知部１００が生体から離れ、検知部と生体部とが離れる。その結果、検知部はＩＣチップに格納された生体固有情報を発信するように構成されている。図に基づいて説明する。
【００３３】
図５は実施の形態２に係る翼状針抜け通報装置の構成の概略を示す平面図である。
図５においても、実施の形態１に係る翼状針抜け通報装置の場合と同様に、１０１は検知部の粘着テープであり、１０２はＲＦＩＤであり、１０８フィルム部である。ＲＦＩＤ１０２は粘着テープ１０１とフィルム部１０８との間に挟まれた状態となっている。図５において、フィルム部１０８は透明なフィルムであり、Ｔ字型の形状をしている。１０７はフィルム部１０８に設けられた開口部であり、１１０は翼状針部であり、１１１は注射針であり、１１４は翼であり、１１２はチューブである。
【００３４】
ＲＦＩＤ１０２は公知の無線ＩＣタグである。検知部１００は粘着テープ１０１にＲＦＩＤ１０２が接着されている。開口部１０７は注射針を通すための穴である。
【００３５】
実施の形態２に係る翼状針抜け通報装置を用いて人体に注射針の挿入を行う場合の概略について説明する
図６は実施の形態２に係る翼状針抜け通報装置を用いて人体の腕に注射をしている様子を上から見た説明図である。
図６において、１０１は検知部の粘着テープであり、１０２はＲＦＩＤであり、１０８はフィルム部である。１０７はフィルム部１０８に設けられた開口部である。１１０は翼状針部であり、１１１は注射針であり、１１４は翼であり、１１２はチューブである。
翼状針部１１０の注射針１１１に加えて翼１１４も開口部１０７に通した状態で、注射針１１１を人体に挿入する。
検知部１００の粘着テープ１０１を人体に接着させる点は、実施の形態１に係る翼状針抜け通報装置の場合と同様である。その結果、ＲＦＩＤのアンテナ部が人体に密接し、ＲＦＩＤは信号が発生しない状態となる。
【００３６】
このような状態で透析等を行っている場合には、異常な行動により、注射針１１１が人体から抜けるほどにチューブ１１２に力がかかれば、翼状針部１１０の翼１１４がフィルム部１０８の開口部１０７に引っかかり、検知部１００が引っ張られて検知部１００の粘着テープ１０１が人体から離れる。すると、ＲＦＩＤのアンテナ部が人体から離れ、ＲＦＩＤが信号を発信できる状態となり、検知部１００のＩＣチップに格納されている固有情報が発信され、受信機がこの情報を受信し、どの人体の注射針が抜けたかということが判明する。その結果、迅速な救済手段の実施が可能となる。
【００３７】
本実施の形態２に係る翼状針抜け通報装置を用いれば、本実施の形態１に係る翼状針抜け通報装置の場合と同様に、人体の異常な行動により、注射針が抜けた事態を、迅速に把握でき、適切な対応をとる事ができる。また、同時に多数の生体に透析等を行っていても、どの生体において、注射針が異常な行動により抜けたかを把握できる。
【００３８】
なお、本実施の形態１に係る翼状針抜け通報装置の場合と同様に、翼状針、ＲＦＩＤおよび受信機は公知のものであるので説明は省略する。またフィルム部についても、開口部と粘着部を有する点を除けば、フィルムの材料等に特徴はなく、公知のものでよいので説明は省略する。
（実施の形態３）
実施の形態３に係る翼状針抜け通報装置は、実施の形態１または２のフィルム部に代えて、ＲＦＩＤの上にカバーを設置して、前記カバーとＲＦＩＤの間に、翼状針部の翼を一方の翼に重ねながら翼状針部を通過させられる程度のスペースからなるトンネルを作成して、
生体に注射針を挿入するときには、翼状針部の注射針に加えて翼状針部の翼を一方の翼に重ねながら翼状針部をトンネルを通過させた後に、一方の翼に重ねた翼を開く。
【００３９】
その結果、注射針を生体に挿入して医療行為をするときに、生体の異常行動によって、注射針が生体から抜けると、翼状針部がカバー部に引っかかって検知部１００に力が加わり、その結果、検知部１００が生体から離れ、検知部と生体部とが離れる。その結果、検知部はＩＣチップに格納された生体固有情報を発信するように構成されている。図に基づいて説明する。
【００４０】
図７は実施の形態３に係る翼状針抜け通報装置の検知部とカバー部の概略を示す概略平面図である。
図７において、１０１は検知部の基板となる粘着テープであり、１０２はＲＦＩＤである。また、７０１はカバー部である。
【００４１】
ＲＦＩＤ１０２は公知の無線ＩＣタグである。検知部１００は粘着テープ１０１にＲＦＩＤ１０２が接着されている。
【００４２】
図８は図７の実施の形態３に係る翼状針抜け通報装置の検知部とカバー部を横から見た説明用概略断面図である。
図８において、１０１は検知部の粘着テープであり、１００は検知部であり、１０２はＲＦＩＤ（この断面図ではＲＦＩＤのアンテナ等は図示していない）であり、７０１はカバー部であり、８０１はトンネル部である。
【００４３】
次に、実施の形態３に係る翼状針抜け通報装置を用いて人体に医療行為を行う場合の概略について説明する
図９は実施の形態３に係る翼状針抜け通報装置を用いて人体の腕に注射針を挿入している様子を横から見た説明図である。
図９において、１００は検知部であり、７０１はカバー部である。１１１は注射針であり、１１４は翼であり、１１２はチューブである。
翼状針部１１０の注射針１１１に加えて翼１１４を一方の翼に重ねながらトンネル部８０１に通した後に翼１１４を開いた状態で、注射針１１１を人体に挿入する。
検知部１００の粘着テープ１０１を人体に接着させる点は、実施の形態１または２に係る翼状針抜け通報装置の場合と同様である。その結果、ＲＦＩDのアンテナ部が人体に密接し、ＲＦＩＤは信号が発生しない状態となる。
【００４４】
このような状態で透析等を行っている場合には、異常な行動により、注射針１１１が人体から抜けるほどにチューブ１１２に力がかかれば、翼状針部１１０の翼１１４がトンネル８０１から抜けられず、カバー部７０１に引っかかり、検知部１００が引っ張られて検知部１００の粘着テープ１０１が人体から離れる。すると、ＲＦＩＤのアンテナ部が人体から離れ、ＲＦＩＤが信号を発信できる状態となり、検知部１００のＩＣチップに格納されている固有情報が発信され、受信機がこの情報を受信し、どの人体の注射針が抜けたかが判明する。その結果、迅速な救済手段の実施が可能となる。
【００４５】
本実施の形態３に係る翼状針抜け通報装置を用いれば、本実施の形態１または２に係る翼状針抜け通報装置の場合と同様に、人体の異常な行動により、注射針が抜けた事態を、迅速に把握でき、適切な対応をとる事ができる。また、同時に多数の生体に透析等を行っていても、どの生体において、注射針が異常な行動により抜けたかを把握できる。
【００４６】
なお、本実施の形態１または２に係る翼状針抜け通報装置の場合と同様に、翼状針、ＲＦＩＤおよび受信機は公知のものであるので説明は省略する。またカバー部についても、材料等に特徴はなく、公知のものでよいので説明は省略する。
【図面の簡単な説明】
【００４７】
【図１】実施の形態１に係る翼状針抜け通報装置の構成の概略を示す平面図である。
【図２】実施の形態１に係る翼状針抜け通報装置を用いて人体の腕に注射針を挿入している様子を上から見た説明図である。
【図３】実施の形態１に係る翼状針抜け通報装置を用いて人体の腕に注射針を挿入している様子を横から見た説明図である。
【図４】実施の形態１に係る翼状針抜け通報装置のフィルム部１０８の形状が図１とは異なるものである。
【図５】図５は実施の形態２に係る翼状針抜け通報装置の構成の概略を示す平面図である。
【図６】実施の形態２に係る翼状針抜け通報装置を用いて人体の腕に注射針を挿入している様子を上から見た説明図である。
【図７】実施の形態３に係る翼状針抜け通報装置の検知部とカバー部の概略を示す概略平面図である。
【図８】実施の形態３に係る翼状針抜け通報装置の検知部とカバー部を横から見た説明用概略断面図である。
【図９】実施の形態３に係る翼状針抜け通報装置を用いて人体の腕に注射針を挿入している様子を横から見た説明図である。
【符号の説明】
【００４８】
１００      検知部
１０１      検知部の粘着テープ
１０２      ＲＦＩＤ
１０６      第１接着部
１０７      開口部
１０８      フィルム部
１１０      翼状針部
１１１      注射針
１１２      チューブ
【図１】
0003143190.tif 000003
【図２】
0003143190.tif 000004
【図３】
0003143190.tif 000005
【図４】
0003143190.tif 000006
【図５】
0003143190.tif 000007
【図６】
0003143190.tif 000008
【図７】
0003143190.tif 000009
【図８】
0003143190.tif 000010
【図９】
0003143190.tif 000011